(57)【要約】【課題】焼き付きを防止することにより、黒色の反射率のサイクル特性の優れた電気化学表示装置および電気化学表示方法を提供する。【解決手段】本発明の電気化学表示装置および電気化学表示方法は、互いの交差箇所が画素を構成するように配置された複数の透明電極および複数の対向電極と、透明電極と対向電極との間に挟まれ、金属のイオンを含む電解質層を設け、書込対象画素について、透明電極と対向電極との間に書込しきい電圧の絶対値以上の第１の書込電圧を印加したのち、書込しきい電圧の絶対値よりも小さい第２の書込電圧を印加することにより、透明電極側に金属を析出させて画像の書込を行い、消去対象画素について、透明電極と対向電極との間に消去しきい電圧の絶対値よりも小さい第１の消去電圧を印加したのち、消去しきい電圧の絶対値以上の第２の消去電圧を印加することにより、透明電極側に析出した金属を溶解させて画像の消去を行う。【選択図】  図１
2005266339.tif 000002
【特許請求の範囲】
【請求項１】
金属の析出および溶解により画像表示を行う電気化学表示装置であって、
互いに交差すると共に、交差箇所が画素を構成するように配置された複数の透明電極および複数の対向電極と、
前記透明電極と前記対向電極との間に挟まれ、前記金属のイオンを含む電解質層と、
書込対象画素について、前記透明電極と前記対向電極との間に書込しきい電圧の絶対値以上の大きさを有する第１の書込電圧を印加したのち、前記書込しきい電圧の絶対値よりも小さい大きさを有する第２の書込電圧を印加することにより、前記透明電極側に前記金属を析出させて画像の書込を行う書込制御手段と、
消去対象画素について、前記透明電極と前記対向電極との間に消去しきい電圧の絶対値よりも小さい大きさを有する第１の消去電圧を印加したのち、前記消去しきい電圧の絶対値以上の大きさを有する第２の消去電圧を印加することにより、前記透明電極側に析出した前記金属を溶解させて画像の消去を行う消去制御手段と
を備えたことを特徴とする電気化学表示装置。
【請求項２】
前記第１の消去電圧は前記第２の書込電圧と逆極性とし、前記第２の消去電圧は前記第１の書込電圧と逆極性とする
ことを特徴とする請求項１に記載の電気化学表示装置。
【請求項３】
前記消去制御手段は、前記第１の消去電圧の印加時間よりも前記第２の消去電圧の印加時間を短くする
ことを特徴とする請求項１に記載の電気化学表示装置。
【請求項４】
前記消去制御手段は、全ての消去対象画素について同時に前記透明電極と前記対向電極との間に第１の消去電圧を印加したのち、個々の消去対象画素について順次第２の消去電圧を印加して、前記消去対象画素に対する消去を行う
ことを特徴とする請求項１に記載の電気化学表示装置。
【請求項５】
前記書込制御手段は、前記第２の書込電圧の印加時間よりも前記第１の書込電圧の印加時間を短くする
ことを特徴とする請求項１に記載の電気化学表示装置。
【請求項６】
前記書込制御手段は、個々の書込対象画素について順次前記透明電極と前記対向電極との間に第１の書込電圧を印加したのち、全ての書込対象画素について同時に第２の書込電圧を印加して、前記書込対象画素に対する書込を行う
ことを特徴とする請求項１に記載の電気化学表示装置。
【請求項７】
金属の析出および溶解により画像表示を行う電気化学表示装置であって、
互いに交差すると共に、交差箇所が画素を構成するように配置された複数の透明電極および複数の対向電極と、
前記透明電極と前記対向電極との間に挟まれ、前記金属のイオンを含む電解質層と、
全ての消去対象画素について同時に前記透明電極と前記対向電極との間に第１の消去電圧を印加したのち、個々の消去対象画素について順次第２の消去電圧を印加することにより、前記透明電極側に析出した前記金属を溶解させて画像の消去を行う消去制御手段と
を備えたことを特徴とする電気化学表示装置。
【請求項８】
前記消去制御手段は、前記第１の消去電圧の印加時間よりも前記第２の消去電圧の印加時間を短くする
ことを特徴とする請求７に記載の電気化学表示装置。
【請求項９】
前記消去制御手段は、前記第１の消去電圧の大きさを消去しきい電圧の絶対値よりも小さくし、前記第２の消去電圧の大きさを前記消去しきい電圧の絶対値以上とする
ことを特徴とする請求７に記載の電気化学表示装置。
【請求項１０】
金属の析出および溶解により画像表示を行う電気化学表示方法であって、
互いに交差すると共に、交差箇所が画素を構成するように配置された複数の透明電極および複数の対向電極と、前記透明電極と前記対向電極との間に挟まれ、前記金属のイオンを含む電解質層を設け、
書込対象画素について、前記透明電極と前記対向電極との間に書込しきい電圧の絶対値以上の大きさを有する第１の書込電圧を印加したのち、前記書込しきい電圧の絶対値よりも小さい大きさを有する第２の書込電圧を印加することにより、前記透明電極側に前記金属を析出させて画像の書込を行い、
消去対象画素について、前記透明電極と前記対向電極との間に消去しきい電圧の絶対値よりも小さい大きさを有する第１の消去電圧を印加したのち、前記消去しきい電圧の絶対値以上の大きさを有する第２の消去電圧を印加することにより、前記透明電極側に析出した前記金属を溶解させて画像の消去を行う
ことを特徴とする電気化学表示方法。
【請求項１１】
金属の析出および溶解により画像表示を行う電気化学表示方法であって、
互いに交差すると共に、交差箇所が画素を構成するように配置された複数の透明電極および複数の対向電極と、前記透明電極と前記対向電極との間に挟まれ、前記金属のイオンを含む電解質層を設け、
全ての消去対象画素について同時に前記透明電極と前記対向電極との間に第１の消去電圧を印加したのち、個々の消去対象画素について順次第２の消去電圧を印加することにより、前記透明電極側に析出した前記金属を溶解させて画像の消去を行う
ことを特徴とする電気化学表示方法。
【発明の詳細な説明】
【技術分野】
【０００１】
本発明は、電気化学的な酸化、還元を利用して表示を行うことを原理とする電気化学表示装置および電気化学表示方法に関するものである。
【背景技術】
【０００２】
近年、ネットワークの普及につれ、従来印刷物として配布されていた文書類が、いわゆる電子書類で配信されるようになってきた。更に、書籍や雑誌などもいわゆる電子出版の形で提供される場合が多くなりつつある。これらの情報を閲覧するために、金属イオンを含む白く着色した電解質を介して電極を対向配置し、表示側の電極に金属を析出させることにより画像の書き込みを行い、その析出させた金属を電解質に溶解させることにより画像の消去を行う電気化学表示装置が、例えば、特許文献１において提案されている。これによれば、マトリクス駆動が容易であり、かつコントラストおよび黒色濃度を高くすることが可能となる。
【０００３】
上記の電気化学表示装置では、金属が析出するしきい電圧を利用して各画素に選択的に金属を析出させて表示を行うというのが一般的である。この方式では、応答速度、クロストークの発生、およびコントラストの低下の点で課題を残していたが、これらの課題を解決した発明が、特許文献２において提案されている。
【０００４】
また、上記の従来の電気化学表示装置では、画面全体に一括して消去電圧を加えるというのが一般的である。このような従来の消去方法では、消去時に電解質中に溶解している陰イオンの酸化が起こるしきい電圧（以下「消去しきい電圧」という）以上の強い電圧を印加すると、表示側の電極に析出している金属をすみやかに溶解させ消去時間を短くすることができるが、電解質中に溶解している陰イオンの酸化も起こってしまい、変色，材料の劣化を引き起こしてしまうという問題があった。
【０００５】
一方、陰イオンの酸化が起こらないように消去しきい電圧未満の電圧を印加して消去を行おうとすると、金属が析出した画素の消去に長時間を要し、消去に非常に時間がかかるという欠点があった。また、消去しきい電圧未満の消去電圧を印加する場合、金属が析出した画素に微量の金属が残存する可能性があり、次に析出表示を行う際に、その残存金属が核となって金属の析出が進行し、消去前の表示が浮き出てきて、いわゆる焼き付きが生じるという欠点があった。
【０００６】
そこで、消去しきい電圧以上の強い電圧の印加による消去は極力短くして，その後に消去しきい電圧未満の弱い電圧を印加することで析出金属の消去を行うことが、特許文献３において提案されている。これによれば、従来よりも高速な消去が可能となり、消去後、次の析出表示を行う際に消去前の表示が浮き出てくる焼き付き現象を緩和することが可能となった。
【特許文献１】特開２００２−２５８３２７号公報
【特許文献２】特開２００３−３３７３５０号公報
【特許文献３】特開２００３−３３７３５２号公報
【発明の開示】
【発明が解決しようとする課題】
【０００７】
しかし、上述の特許文献３で提案されている電気化学表示装置の消去方法では、次のような問題がある。すなわち、まず個々の消去対象画素に消去しきい電圧以上の消去電圧を印加する。その後、消去しきい電圧未満の消去電圧を全ての消去対象画素に印加することで析出金属の溶解を行っている。この消去時の駆動電圧波形において、最初の強く短い消去電圧の印加では、一部の析出金属が溶解するのみで、その後に全ての消去対象画素に消去電圧を印加することにより消去が完了する。しかし、これでは、電極表面に析出した金属が完全には消去できていない場合があり、その場合には焼き付きが生じるため、黒色の反射率のサイクル特性が充分でないという問題がある。また、ユーザには、最初の強く短い消去電圧の印加では走査線を走査するに従い順に表示が薄くなり、その後に全ての消去対象画素に消去電圧を印加することにより表示が全体的に消えるように見える。そのため、ユーザは表示が消去される様子を視覚的に不自然に感じ、さらに、ユーザが消去が完了したと感ずるまでに長い時間がかかるという問題がある。
【０００８】
本発明は、かかる問題点に鑑みてなされたものであり、その第１の目的は、焼き付きを防止することにより、黒色の反射率のサイクル特性の優れた電気化学表示装置および電気化学表示方法を提供することにある。また、本発明の第２の目的は、画像の消去が完了したとユーザが感ずるまでの時間を大幅に短縮することができる電気化学表示装置および電気化学表示方法を提供することにある。また、本発明の第３の目的は、上記第２の目的に加えて、画像が消去される様子をユーザが自然に感じることができる電気化学表示装置および電気化学表示方法を提供することにある。
【課題を解決するための手段】
【０００９】
本発明の第１の電気化学表示装置は、互いに交差すると共に、交差箇所が画素を構成するように配置された複数の透明電極および複数の対向電極と、透明電極と対向電極との間に挟まれ、金属のイオンを含む電解質層と、書込対象画素について、透明電極と対向電極との間に書込しきい電圧の絶対値以上の大きさを有する第１の書込電圧を印加したのち、書込しきい電圧の絶対値よりも小さい大きさを有する第２の書込電圧を印加することにより、透明電極側に金属を析出させて画像の書込を行う書込制御手段と、消去対象画素について、透明電極と対向電極との間に消去しきい電圧の絶対値よりも小さい大きさを有する第１の消去電圧を印加したのち、消去しきい電圧の絶対値以上の大きさを有する第２の消去電圧を印加することにより、透明電極側に析出した金属を溶解させて画像の消去を行う消去制御手段とを備える。
【００１０】
本発明の第２の電気化学表示装置は、互いに交差すると共に、交差箇所が画素を構成するように配置された複数の透明電極および複数の対向電極と、透明電極と対向電極との間に挟まれ、金属のイオンを含む電解質層と、全ての消去対象画素について同時に透明電極と対向電極との間に第１の消去電圧を印加したのち、個々の消去対象画素について順次第２の消去電圧を印加することにより、透明電極側に析出した金属を溶解させて画像の消去を行う消去制御手段とを備える。
【００１１】
本発明の第１の電気化学表示方法は、互いに交差すると共に、交差箇所が画素を構成するように配置された複数の透明電極および複数の対向電極と、透明電極と対向電極との間に挟まれ、金属のイオンを含む電解質層を設け、書込対象画素について、透明電極と対向電極との間に書込しきい電圧の絶対値以上の大きさを有する第１の書込電圧を印加したのち、書込しきい電圧の絶対値よりも小さい大きさを有する第２の書込電圧を印加することにより、透明電極側に金属を析出させて画像の書込を行い、消去対象画素について、透明電極と対向電極との間に消去しきい電圧の絶対値よりも小さい大きさを有する第１の消去電圧を印加したのち、消去しきい電圧の絶対値以上の大きさを有する第２の消去電圧を印加することにより、透明電極側に析出した金属を溶解させて画像の消去を行うようにしたものである。
【００１２】
本発明の第２の電気化学表示方法は、互いに交差すると共に、交差箇所が画素を構成するように配置された複数の透明電極および複数の対向電極と、透明電極と対向電極との間に挟まれ、金属のイオンを含む電解質層を設け、全ての消去対象画素について同時に透明電極と対向電極との間に第１の消去電圧を印加したのち、個々の消去対象画素について順次第２の消去電圧を印加することにより、透明電極側に析出した金属を溶解させて画像の消去を行うようにしたものである。
【００１３】
本発明の第１の電気化学表示装置および第１の電気化学表示方法では、最初に書込対象画素について書込しきい電圧の絶対値以上の大きさを有する第１の書込電圧が印加される。これにより、例えば、透明電極側に金属の析出核を形成させることも可能である。その後に、書込対象画素について書込しきい電圧の絶対値よりも小さい大きさを有する第２の書込電圧が印加される。これにより、例えば、透明電極側に金属をさらに析出させて画像の書込を行うことも可能である。次に、消去対象画素について消去しきい電圧の絶対値より小さい大きさを有する第１の消去電圧が印加される。これにより、陰イオンの酸化が生じることなく透明電極側に析出した金属がほとんど溶解される。この場合、例えば、画像が消去されたとユーザが感じるのに十分な程度に透明電極側に析出した金属を溶解させることも可能である。その後に、消去対象画素について消去しきい電圧の絶対値以上の大きさを有する第２の消去電圧が印加される。これにより、透明電極側にわずかに残存した金属の析出核を完全に近い状態で溶解させることも可能である。なお、第２の消去電圧の大きさは消去しきい電圧の絶対値より大きいが、消去対象画素以外には消去しきい電圧より大きい電圧は印加されないことから、陰イオンの酸化はほとんど生じない。
【００１４】
本発明の第１の電気化学表示装置では、特に全ての消去対象画素に印加する第１の消去電圧の印加時間よりも、個々の消去対象画素に印加する第２の消去電圧の印加時間を短くした場合には、消去しきい電圧以上の電圧を電解質に印加する時間が短縮されるため、消去対象画素についても電解質中に溶解している陰イオンの酸化が抑えられる。
【００１５】
本発明の第２の電気化学表示装置および第２の電気化学表示方法では、最初に全ての消去対象画素について同時に第１の消去電圧が印加される。これにより、例えば、画像が画面全体で同時に消去されるようにすることも可能である。また、上記の「同時」とは、必ずしも厳密に時間的に同時であることを意味するものではなく、画像が画面全体で同時に消去されたとユーザが感じる程度に時間的に同時であることを意味する。その後、個々の消去対象画素について順次第２の消去電圧が印加される。これにより、例えば、透明電極側にわずかに残存した金属の析出核が完全に近い状態で溶解させることも可能である。
【発明の効果】
【００１６】
本発明の第１の電気化学表示装置および第１の電気化学表示方法によれば、消去しきい電圧より小さい第１の消去電圧を印加したのち、消去しきい電圧以上の第２の消去電圧を印加するようにしたので、焼き付きを生じることはなく、黒色の反射率のサイクル特性が非常に優れている。
【００１７】
また、消去しきい電圧より小さい第１の消去電圧を印加したのち、消去しきい電圧以上の第２の消去電圧を印加するようにしたので、画面表示の劣化が生じることなく画像が高速に消去されたとユーザが感じることができる。
【００１８】
また、消去しきい電圧以上の第２の消去電圧を第１の消去電圧の印加時間よりも短くした場合には、黒色の反射率のサイクル特性がより一層優れており、表示品質がより一層向上する。
【００１９】
本発明の第２の電気化学表示装置および第２の電気化学表示方法によれば、第１の消去電圧が全ての消去対象画素に対して同時に印加されるので、画像が消去される様子を自然に感させることも可能である。
【発明を実施するための最良の形態】
【００２０】
以下、本発明の実施の形態について、図面を参照して詳細に説明する。
【００２１】
図１は、本発明の実施の形態に係る電気化学表示装置の概略構成を表すものである。この電気化学表示装置は、例えば、電気化学表示素子１０と、この電気化学表示素子１０を駆動させるための周辺回路部２０とを備えている。
【００２２】
図２は、図１に示した電気化学表示素子１０の概略構成を表すものである。電気化学表示素子１０は、第１基板１１と第２基板１２とが電解質１３を介して対向配置された構造を有している。第１基板１１の第２基板１２と対向する側の面には、透明電極１４がストライプ状に延在し、第２基板１２の第１基板１１と対向する側の面には、対向電極１５がストライプ状に延在し、透明電極１４と対向電極１５とが互いに交差するように対向配置されている。
【００２３】
図２における第１基板１１は、透明性を有する材料、具体的には、例えば、石英ガラスにより構成されている。図２における第２基板１２は、例えば、石英ガラスにより構成されている。図２における電解質１３は、例えば、溶媒と、酸化還元反応により析出および溶解する析出溶解材料とを含んでいる。溶媒としては、例えば、ジメチルスルホシキドとγ−ブチロラクトンの混合物が挙げられる。析出溶解材料は、析出した状態と溶解した状態とで色が変化することを利用して画素の表示を可能にするためのものである。析出溶解材料としては、例えば、還元により金属として析出する金属イオン、具体的には、銀イオンが挙げられる。図２における透明電極１４は、画素として表示する金属を析出させるものであり、例えば、透明導電膜により構成されている。具体的には、スズ（Ｓｎ）とインジウム（Ｉｎ）との酸化物であるＩＴＯ（Indium Tin oxide）により構成されている。図２における対向電極１５は、電気化学的に安定な金属、例えば、銀（Ａｇ）より構成されている。
【００２４】
周辺回路部２０は、図１に示したように、信号制御部２１と、透明電極駆動回路２２と、対向電極駆動回路２３とを有している。信号制御部２１は、信号線２４，２５を介して、透明電極駆動回路２２および対向電極駆動回路２３とそれぞれ接続されている。透明電極駆動回路２２および対向電極駆動回路２３は、信号制御部２１からの信号により、電気化学表示素子１０の各画素を選択的に表示させるようになっている。なお、透明電極駆動回路２２および対向電極駆動回路２３は、本発明における書き込み制御手段の一具体例に対応する。透明電極駆動回路２２および対向電極駆動回路２３は、さらに、本発明における消去制御手段の一具体例にも対応する。
【００２５】
図４は、図３に示すような三角波電圧を対向電極の電圧を基準として透明電極と対向電極の間に印加した場合の電流−電圧過渡応答特性を示す。なお、図４は、対向電極を銀（Ａｇ）電極とし、高分子電解質に銀イオンとヨウ素イオンを溶解した場合の特性例である。
【００２６】
この図４の原理について説明する。上記透明電極と対向電極の間に対向電極の電圧を基準としてゼロからマイナス側に電圧を加えていくと、しばらくは銀が析出せず、書込しきい電圧Vthを越えたところで透明電極への銀の析出が始まる。そして、書込しきい電圧Vthを越えたところで析出に伴う電流が流れ始める。銀の析出は、三角波電圧の頂点に相当する書込電圧を越え、次第に電圧が下がっても続き、先の書込しきい電圧Vthを下回っても続く。銀の析出が終わるのは、印加電圧が保持電圧Vkeまで下がった時である。すなわち、一度書込しきい電圧Vthを越えて銀の析出核が透明電極側の表面上に形成されれば、書込しきい電圧Vth未満の電圧でも、銀の析出が起こる。一方、逆極性（プラス）の電圧を透明電極と対向電極の間に印加すると、銀の溶解が始まり、消去しきい電圧Vithに到達した時点で析出していた銀は消失する。これ以上の高い電圧を印加すると、ヨウ素が遊離して電極に付着し、黄色く着色されてしまう。
【００２７】
上記のような電流−電圧過渡応答特性を示す表示装置の駆動を考えた場合、最も単純には、書込しきい電圧Vthを越える電圧を加えて金属を析出させ、画素の書込を行い、消去しきい電圧Vithを越えない電圧を加えて金属を溶解させ、画素の消去を行うことが考えられる。本実施の形態では、２回の書込電圧を印加して画素の書込を行い、２回の消去電圧を印加して画素の消去を行うという複雑な動作を有する。
【００２８】
次に、以上のような構成による電気化学表示装置および電気化学表示方法の動作を説明する。なお、説明の簡略化のため、図１に示す３×３画素によるモノクロ表示を例にとり、説明する。
【００２９】
図５は、本発明の実施の形態における書込時の駆動電圧波形の一例を示すものである。図５においては、各透明電極Ｃ1，Ｃ2，Ｃ3に加えられる電圧、各対向電極Ｒ1，Ｒ2，Ｒ3に加えられる電圧、及び画素（Ｃ3，Ｒ3）の印加電圧、すなわち、透明電極と対向電極との間の印加電圧を示している。
【００３０】
表示に際しては、最初に、透明電極駆動回路は、各透明電極（Ｃ1，Ｃ2，Ｃ3）にそれぞれ信号電圧（0, 0, Vwc）を同時に印加する。そして、対向電極駆動回路は、各対向電極（Ｒ1，Ｒ2，Ｒ3）に選択電圧Vwrを順次印加する。ここで、信号電圧Vwcおよび選択電圧Vwrの大きさは、書込しきい電圧Vthの絶対値より小さい。なお、信号電圧Vwcは、選択電圧Vwrの出力と同期して出力される。
【００３１】
具体的には、画素（Ｃ3，Ｒ3）では、透明電極Ｃ3の信号電圧Vwcと、対向電極Ｒ3の選択電圧Vwrとが重なり、その結果、これらの電位差により書込しきい電圧の絶対値以上の大きさを有する第１の書込電圧Va（=Vwc−Vwr）が、透明電極と対向電極の間に加わり、透明電極上に金属の析出核が形成される。一方、画素（Ｃ2，Ｒ1）では、透明電極Ｃ2の信号電圧Vwcと対向電極Ｒ1の選択電圧Vwrとが重なる期間が無く、書込しきい電圧Ｖthの絶対値を下回る大きさを有する信号電圧Vwcあるいは選択電圧Vwrのうちのいずれか一方が、透明電極と対向電極の間に加わるのみである。したがって、金属の析出は起こらない。
【００３２】
その後、各透明電極（Ｃ1，Ｃ2，Ｃ3）を接地し、対向電極駆動回路により、各対向電極（Ｒ1，Ｒ2，Ｒ3）に書込しきい電圧Vthの絶対値より小さい大きさを有する選択電圧Vwrを同時に印加する。その結果、これらの電位差により書込しきい電圧Vthの絶対値より小さい大きさを有する第２の書込電圧Vw（=−Vwr）が、透明電極と対向電極の間に加わり、先の書込電圧Vaで透明電極側に析出した金属の析出核の周りに金属が追加析出され、画像の表示（書込）が行われる。ここで、上記の「同時」とは、必ずしも厳密に時間的に同時であることを意味するものではなく、画像が画面全体で同時に表示されたとユーザが感じる程度に時間的に同時であることを意味する。なお、金属の析出核のない画素においても第２の書込電圧Vw（=−Vwr）が印加されているが、上記で詳述した図４の電流−電圧過渡応答特性より、書込しきい電圧Vthの絶対値より小さい大きさを有する第２の書込電圧が印加されても金属の析出は起こらない。
【００３３】
さらに、上記の第１の書込電圧Vaの印加時間Tasを第２の書込電圧Vwの印加時間Twよりも短くすることにより、その印加時間の短縮分に走査線の数（対向電極の数）をかけた時間だけ金属の析出核の形成に要する時間Taを短縮している。このような短縮が可能な理由は、第１の書込電圧Vaは、透明電極側に金属の析出核を形成するだけでよいので、不必要に長時間電圧を印加する必要が無いからである。なお、第２の書込電圧Vwを全ての書込対象画素について同時に印加するので、各書込対象画素に電圧を印加する場合に比べて、印加時間は非常に短時間で済む。
【００３４】
ここで、仮に一回の書込電圧Vaのみで金属の析出を完了しようとすると、画素毎に析出に長時間を要し、特に画素数が増えれば増えるほど表示に時間がかかる。また、一般に、電気化学表示装置では、各画素は、金属の析出以前には主にキャパシタとしての機能が強く、析出に伴って電極間の抵抗値ならびにしきい値が小さくなるという特性を持っている。そのため、仮に一回の書込電圧の印加のみで金属の析出を完了しようとすると、書き込まれた画素の周囲の画素を書き込むような場合、既に書き込みされた画素部にさらに金属が析出し、不要な電流が流れてクロストークが発生したり、コントラストが低下する等の問題が生ずる。
【００３５】
また、仮に一回の書込電圧Vaのみで金属の析出を完了しようとすると、走査線（対向電極）を順次走査するに従い順次表示が行われる。そのため、ユーザは画像が表示される様子を視覚的に不自然に感じるだけでなく、表示が完了したと感ずるまでに長い時間がかかることになる。
【００３６】
しかし、本実施の形態のような書込時の駆動電圧波形を印加すれば、上記の問題が解決される。
【００３７】
すなわち、本実施の形態では、最初に書込しきい電圧Vthの絶対値以上の大きさを有する第１の書込電圧Vaを印加したのち、書込しきい電圧Vthの絶対値より小さい大きさを有する第２の書込電圧Vwを印加しているので、最初の第１の書込電圧Vaの印加において金属の析出核を不必要に大きくする必要がない。その結果、金属を析出させた画素に不要な電流が流れてクロストークが発生したり、コントラストが低下することが無い。
【００３８】
また、本発明の実施の形態では、最初に各画素に書込しきい電圧Vth以上の第１の書込電圧Vaを順次印加したのち、全ての書込対象画素に対して書込しきい電圧Vthより小さい第２の書込電圧Vwを同時に印加しているので、例え２回に分けて書込電圧を印加したとしても、画像を表示するのに要する時間は非常に短い。その結果、画素数が増えたとしても画像を書き込む時間が非常に短いだけでなく、よりクロストークの無い正確な析出表示が可能となる。なお、この「同時」は、上記の定義と同義である。
【００３９】
また、全ての書込対象画素について同時に第２の書込電圧Vwを印加することにより、画像を画面全体で同時に表示している。なお、この「同時」は、上記の定義と同義である。その結果、ユーザは画像が書き込まれる様子を自然に感じることができる。
【００４０】
図６は、本発明の実施の形態における消去時の駆動電圧波形の一例を示すものである。図６においては、各透明電極（Ｃ1，Ｃ2，Ｃ3）に加えられる電圧、各対向電極（Ｒ1，Ｒ2，Ｒ3）に加えられる電圧、及び画素（Ｃ3，Ｒ3）の印加電圧、すなわち、透明電極と対向電極との間の印加電圧を示している。
【００４１】
消去に際しては、最初に、各透明電極（Ｃ1，Ｃ2，Ｃ3）を接地し、対向電極駆動回路により、各対向電極Ｒ1，Ｒ2，Ｒ3に書込時とは逆極性で、消去しきい値電圧Vithの絶対値より小さい大きさを有する選択電圧Veを同時に印加する。その結果、これらの電位差により消去しきい電圧Vithの絶対値より小さい大きさを有する第１の消去電圧Ve（=−Ver）が、透明電極と対向電極の間に加わり、先の書込駆動電圧波形の印加で透明電極上に析出した金属がほとんど溶解される。この時、ユーザにとって画像が消去されたように見える。ここで、上記の「同時」とは、必ずしも厳密に時間的に同時であることを意味するものではなく、画像が画面全体で同時に消去されたとユーザが感じる程度に時間的に同時であることを意味する。なお、金属の析出核のない画素においても第１の消去電圧Ve（=−Ver）が印加されているが、上記で詳述した図４の電流−電圧過渡応答特性より、消去しきい電圧の絶対値より小さい大きさを有する第１の消去電圧が印加されても陰イオンの酸化は生じない。
【００４２】
その後、透明電極駆動回路により、各透明電極（Ｃ1，Ｃ2，Ｃ3）にそれぞれ信号電圧（0, 0, Vec）を同時に印加する。そして、対向電極駆動回路により、各対向電極（Ｒ1，Ｒ2，Ｒ3）に選択電圧Verを順次印加する。ここで、信号電圧Vecおよび選択電圧Verの大きさは、消去しきい電圧Vithの絶対値より小さい。なお、信号電圧Vecは、選択電圧Verの出力と同期して出力される。
【００４３】
具体的には、画素（Ｃ3，Ｒ3）では、透明電極Ｃ3の信号電圧Vecと、対向電極Ｒ3の第４の選択電圧Verとが重なり、その結果、これらの電位差により消去しきい電圧Vithの絶対値以上の大きさを有する第２の消去電圧Vs（=Vec−Ver）が加わり、透明電極上にわずかに残存している金属の析出核が完全に溶解され、画像の消去が完了する。一方、画素（Ｃ2，Ｒ1）では、透明電極Ｃ2の信号電圧Vecと対向電極Ｒ1の選択電圧Verとが重なる期間が無く、消去しきい電圧Ｖithの絶対値を下回る大きさを有する信号電圧Vecあるいは選択電圧Verのうちのいずれか一方が加わるのみである。したがって、消去対象画素以外の画素には消去しきい電圧Ｖithの絶対値を下回る大きさを有する電圧しか印加されないこととなり、消去対象画素以外の画素では陰イオンの酸化は起こらない。
【００４４】
図７は、特許文献３において提案されている消去時の駆動電圧波形を比較例として表したものである。この比較例では、上記の消去電圧Vsをまず最初に印加したのち、上記の消去電圧Veを印加するようにしている。
【００４５】
図７に示すような消去時の駆動電圧波形を用いた場合には、最初の消去電圧の印加によりわずかに析出金属が溶解され、次の消去電圧の印加により電極表面に残存する析出金属が溶解されるが、電極表面に析出した金属が完全には消去できていない場合がある。そのため、いわゆる焼き付きの問題が完全には解決しておらず、黒色の反射率のサイクル特性が充分でない。また、最初の消去電圧の印加では、各対向電極に順次選択電圧を印加するため、画像は対向電極を順次走査するに従い順に薄くなり、その後の消去電圧の印加により画像全体が消去される。このことは、ユーザーから見ると、画像の消去が視覚的に不自然に感じられ、消去にかかる時間も遅く感じられる。
【００４６】
しかし、本実施の形態において用いられる、図６に示すような消去時の駆動電圧波形を印加すれば、上記の問題は解決される。
【００４７】
すなわち、本実施の形態では、最初に消去対象画素について消去しきい電圧Vithの絶対値より小さい大きさを有する第１の消去電圧Veを印加しているので、陰イオンの酸化を生ずることなく透明電極表面に析出した金属がほとんど溶解される。その後、消去対象画素について消去しきい電圧Vithの絶対値以上の大きさを有する第２の消去電圧Vsを印加しているので、透明電極表面にわずかに残存している析出金属に直接作用して、その残存している析出金属が完全に溶解される。ここで、消去電圧Vsの大きさは消去しきい電圧Vithの絶対値より大きいが、消去対象画素以外には消去しきい電圧Vithの絶対値より大きい電圧は印加されないことから、陰イオンの酸化はほとんど生じない。その結果、何度も画像を表示・消去しても電極表面には析出金属は残存せず、さらに、陰イオンの酸化もほとんど生じないので、焼き付きが生じることはなく、黒色の反射率のサイクル特性が非常に優れている。
【００４８】
また、本実施の形態では、最初に消去対象画素について消去しきい電圧Vithの絶対値より小さい大きさを有する第１の消去電圧Veを印加するので、この第１の消去電圧が印加された後に、電極表面に微量の析出金属が残存するが、ユーザにとって画像の消え残りが存在すると認識されるほど析出金属は残存していない。そして、その後、消去しきい電圧Vithの絶対値以上の大きさを有する第２の消去電圧が印加された場合には、この微量の析出金属が溶解されてもユーザにとって画面上で表示に変化が生じたようには見えない。その結果、ユーザは第１の消去電圧の印加の際に画像の消去が完了したと感じ、表示装置の劣化が生じることなく画像が高速に消去されたと感じることができる。
【００４９】
また、消去電圧Vsは消去しきい電圧Vithの絶対値を超える大きさを有する電圧であるが、消去対象画素以外には消去しきい電圧Vithの絶対値を超える大きさを有する電圧は印加されないことから、陰イオンの酸化はほとんど生じない。さらに、消去しきい電圧Vithの絶対値を超える大きさを有する第２の消去電圧Vsの印加時間が第１の消去電圧Veの印加時間よりも短くしているので、消去対象画素においても陰イオンの酸化が抑えられる。その結果、陰イオンの酸化によって金属の析出核が付きにくくなり表示が不均一になる（黒色の反射率のサイクル特性が悪くなる）ということがほとんど生じなくなるので、より焼き付きが生じることはなく、黒色の反射率のサイクル特性がより一層優れている。
【００５０】
また、本発明の実施の形態では、全ての消去対象画素について同時に第１の消去電圧Veを印加しているので、画像が画面全体で同時に消去される。その結果、ユーザは画像が消去される様子を自然に感じることができる。なお、この「同時」とは、上記の定義と同義である。
【００５１】
なお、第１基板１１は、上記の石英ガラス以外に、例えば、合成樹脂、具体的には、ポリエチレンナフタレート，ポリエチレンテレフタレートあるいはポリカーボネートなどのエステル、または、酢酸セルロースなどのセルロースエステル、または、ポリフッ化ビニリデンあるいはポリテトラフルオロエチレンとヘキサフルオロプロピレンとの共重合体などのフッ素ポリマー、または、ポリオキシメチレンなどのポリエーテル、または、ポリアセタール，ポリスチレン，ポリエチレン，ポリプロピレンあるいはメチルペンテンポリマーなどのポリオレフィン、または、ポリアミドイミドあるいはポリエーテルイミドなどのポリイミド、または、ポリアミドにより構成してもよい。これら合成樹脂は、容易に曲がらないような剛性基板状であってもよく、また、可とう性を有するフィルム状の構造体であってもよい。
【００５２】
第２基板１２は、透明であっても、透明でなくてもよく、上記の石英ガラスの他に、白板ガラス、セラミックス、紙あるいは木材により構成することができる。また、この他にも、第１基板１１で説明した合成樹脂により構成するようにしてもよい。なお、対向電極１５が十分な剛性を有する場合には、第２基板１２は設けなくてもよい。
【００５３】
電解質１３に含まれる溶媒としては、上記のジメチルスルホシキドとγ−ブチロラクトンの混合物以外に、例えば、水、エチルアルコール、イソプロピルアルコール、プロピレンカーボネート、ジメチルカーボネート、エチレンカーボネート、アセトニトリル、スルホラン、ジメトキシエタン、エチルアルコール、イソプロピルアルコール、ジメチルホルムアミド、ジメチルアセトアミド、Ｎ−メチルピロリドン、ジメチルスルホシキド、γ−ブチロラクトン、γ−バレロラクトンあるいはこれらの混合物などが挙げられる。
【００５４】
電解質１３に含まれる析出溶解材料としては、上記の銀イオンの他に、金属イオンとしては、特に限定されるものではないが、例えば、ビスマスイオン，銅イオン，銀イオン，ナトリウムイオン，リチウムイオン，鉄イオン，クロムイオン，ニッケルイオンあるいはカドミウムイオンが挙げられる。その中でも特に好ましい金属イオンはビスマスイオンあるいは銀イオンであり、更に好ましいのは銀イオンである。ビスマスイオンおよび銀イオンは、可逆的な反応を容易に進めることができると共に、析出時の変色度が高く、特に、銀イオンはイオン価数が通常１であるので、イオン価数が通常３であるビスマスイオンに比べて、１原子を還元させて金属にするのに必要な電荷量が３分の１となるからである。金属イオンは、例えば、金属塩として溶媒に添加されている。金属塩としては、銀塩であれば、例えば、硝酸銀、ホウフッ化銀、ハロゲン化銀、過塩素酸銀、シアン化銀あるいはチオシアン化銀が挙げられる。金属塩には、いずれか１種を用いてもよく、２種以上を混合して用いてもよい。
【００５５】
この電解質１３は、また、必要に応じて支持電解質塩と着色剤と各種添加剤とを含んでいてもよい。
【００５６】
支持電解質塩は、電解質のイオン伝導性を高めることにより、析出溶解材料の析出溶解反応がより効果的に、かつ安定して行われるようにするためのものである。支持電解質塩としては、例えば、ＬｉＣｌ，ＬｉＢｒ，ＬｉＩ，ＬｉＢＦ4 ，ＬｉＣｌＯ4 ，ＬｉＰＦ6 あるいはＬｉＣＦ3 ＳＯ3 などのリチウム塩、または、ＫＣｌ，ＫＩあるいはＫＢｒなどのカリウム塩、または、ＮａＣｌ，ＮａＩあるいはＮａＢｒなどのナトリウム塩、または、ホウフッ化テトラエチルアンモニウム塩，過塩素酸テトラエチルアンモニウム塩，ホウフッ化テトラブチルアンモニウム塩，過塩素酸テトラブチルアンモニウム塩あるいはテトラブチルアンモニウムハライド塩などのテトラアルキル四級アンモニウム塩が挙げられる。支持電解質塩にはいずれか１種を用いてもよく、２種以上を混合して用いてもよい。
【００５７】
着色剤は、コントラストを向上させるためのものである。着色剤としては、例えば、無機顔料あるいは有機顔料が挙げられ、これらを単独で用いてもよく、混合して用いてもよい。例えば、銀のように金属の発色が黒色の場合には、白色の隠蔽性の高い材料が好ましい。このような材料として、例えば、二酸化チタン、炭酸カルシウム、酸化ケイ素、酸化マグネシウムあるいは酸化アルミニウムなどの無機粒子を使用することができる。また、色素を用いることもできる。色素としては、油溶性染料を用いることが好ましい。
【００５８】
添加剤としては、電気化学的な反応、特に金属の析出溶解反応を可逆的、かつ効率的に行うために、成長阻害剤、応力抑制剤、光沢剤、錯化剤あるいは還元剤のいずれか１種または２種以上を混合して含んでいることが好ましい。このような添加剤としては、酸素原子（Ｏ）または硫黄原子（Ｓ）を有する基を備えた有機化合物が好ましく、例えば、チオ尿素、１−アリル−２−チオ尿素、メルカプトベンゾイミダゾール、２−メルカプトベンゾイミダゾール、クマリン、フタル酸、コハク酸、サリチル酸、グリコール酸、ジメチルアミンボラン、トリメチルアミンボラン、酒石酸、シュウ酸あるいはＤ−グルコノ−１，５−ラクトンが挙げられる。
【００５９】
アニオン種に起因した副反応に伴い、所望の発色以外の発色が生じる虞があるので、添加剤としては、アニオン種に起因した副反応を抑制するための還元剤または酸化剤のいずれか１種または２種以上を混合して含んでいることが好ましい。
【００６０】
このような還元剤としては、例えば、アスコルビン酸化合物あるいはトリアルキルアルコールアミンなどが好ましい。中でも、トリアルキルアルコールアミン種であり、トリエタノールアミンは、長期保存性および高温保存性においても優れた効果を得ることができるので好ましい。
【００６１】
この電解質１３は、これら液状の溶媒，析出溶解材料および添加剤などからなる液状のいわゆる電解液とされていてもよいが、更に、これらを保持する高分子化合物を含み、ゲル状とされていてもよい。ゲル状とする場合、単層により構成してもよいが、複数層により構成してもよい。複数層にする場合、着色剤は複数層に含有させる必要はなく、少なくとも１層に含有させるようにすればよい。
【００６２】
高分子化合物としては、例えば、主骨格単位、もしくは側鎖単位、もしくはその両方に、アルキレンオキサイド、アルキレンイミン、アルキレンスルフィドの繰り返し単位を有するもの、または、これらの異なる単位を複数含む共重合物、または、ポリメチルメタクリレート誘導体、ポリフッ化ビニリデン、ポリ塩化ビニリデン、ポリアクリロニトリルあるいはポリカーボネート誘導体が好ましい。高分子化合物には、いずれか１種を用いてもよいが、２種以上を混合して用いてもよい。
【００６３】
電解質１３の厚みは、無機粒子を着色剤として含む場合、２０μｍ〜２００μｍであることが好ましく、３０μｍ〜１２０μｍであればより好ましく、３０μｍ〜５０μｍであれば更に好ましい。薄い方が電極間の抵抗が小さくなり、発色・消色時間の低減や消費電力の低下を図ることができる一方、薄すぎると着色剤の含有量が少なくなるため、白色性（光学濃度）が十分でなく、特に、２０μｍ以下であると、機械的強度が低下してピンホールや亀裂も生じるからである。
【００６４】
電解質１３は、例えば、スルホキシドと環状カルボン酸エステルとを混合した溶媒に析出溶解材料を溶解させたのち、これに必要に応じて、支持電解質塩，着色剤および各種添加剤を添加することにより製造することができる。また、ゲル状とする場合には、この電解液と高分子化合物とを混合して乾燥させることにより製造することができる。また、この電解液を高分子化合物の出発原料であるモノマーあるいはオリゴマーと混合し、加熱法あるいはＵＶ照射法により、重合あるいは架橋させることにより製造することもできる。なお、この場合、効率的にゲル化を促進させるために、架橋助剤や光増感剤などを併用してもよい。
【００６５】
透明電極１４は、上記のＩＴＯ（Indium Tin oxide）の他に、酸化インジウム（Ｉｎ2 Ｏ3 ）、あるいは酸化スズ（ＳｎＯ2 ）、または、ＩＴＯ、酸化インジウム（Ｉｎ2 Ｏ3 ）、あるいは酸化スズ（ＳｎＯ2 ）にスズあるいはアンチモン（Ｓｂ）などをドーピングしたものにより構成されることが好ましい。また、酸化マグネシウム（ＭｇＯ）あるいは酸化亜鉛（ＺｎＯ）などにより構成してもよい。
【００６６】
対向電極１５は、上記の銀（Ａｇ）の他に、電気化学的に安定な金属、中でも、金（Ａｕ），白金（Ｐｔ），クロム（Ｃｒ），アルミニウム（Ａｌ），コバルト（Ｃｏ），パラジウム（Ｐｄ），ビスマス（Ｂｉ）からなる群のうちの少なくとも１種により構成されることが好ましい。また、析出させる金属と同じ金属により構成するようにすれば、電気化学的により安定な電極反応を実現できるのでより好ましい。この他にも、主反応に用いる金属を予めあるいは随時十分に補うことができれば、カーボンにより構成するようにしてもよい。カーボンを使用することで、対向電極１５の低価格化を図ることができるからである。また、透明電極１４と同じ透明導電膜により構成するようにしてもよい。
【００６７】
書込制御手段において、第１および第２の書込電圧を印加するようにしているが、さらに第３の書込電圧を印加するようにしてもよい。例えば、書込制御手段において、第１および第２の書込電圧を印加したのちに、書込しきい電圧（−Ｖth）の絶対値以上の大きさを有する第３の書込電圧を印加するようにしてもよい。また、消去制御手段において、第１および第２の消去電圧を印加するようにしているが、さらに第３の消去電圧を印加するようにしてもよい。例えば、消去制御手段において、消去しきい電圧Ｖithより小さい第３の消去電圧を印加するようにしてもよい。
【００６８】
［実施例］
以下に、本発明の実施例に係る電気化学表示素子の概略構成を説明する。図８に示すように、透明電極は、厚さ０．７ｍｍの石英ガラス基板上に、ストライプ状にITO膜を公知の方法により成膜した。対向電極は、厚さ０．７ｍｍの石英ガラス基板上に、ストライプ状に銀を公知の方法により成膜した。電極本数は、それぞれ４０本で、電極幅は０．３ｍｍ、電極ピッチは０．６ｍｍとした。
【００６９】
電解質は、ジメチルスルホシキド（DMSO）とγ−ブチロラクトン（γBr）を６：４の割合で混合した溶媒に析出溶解材料として０．５ｍｏｌ／ｌのヨウ化銀（AgI）、支持電解質塩として０．７５mol／lのヨウ化リチウム（LiI）を溶解されたものである。この電解質に対して、高分子材料である分子量２０万のポリエチレンオキシドと着色材である二酸化チタン（TiO2）を重量比で１：０．２：１．２の割合で添加し、これを均一に分散させた。その後、上記のポリエチレンオキシドに対して、架橋材を重量比で１：０．０２の割合で添加した。これを透明電極上に厚さ１００μｍで塗布した後、直ちに、対向電極を貼り合わせ、これを１００度で１０分間加熱し、ゲル化した高分子固体電解質を両電極間に形成した。ここで、可能なら架橋材を加えずに重合させてもよい。最後に、貼り合わせた端面をエポキシ樹脂接着剤によって封止した。
【００７０】
このように製作された電気化学表示素子に対して、図５（書き込み）、図６（消去）に示す駆動波形により駆動を行った。なお、最初に全画素に互いに同一の消去電圧Veを印加するのに要する時間Teを３０００ｍｓｅｃ、選択的に各画素に残存している析出金属を追加溶解させる電圧Vs（＝Ver−Vec）を印加するのに要する時間Tsを１２００ｍｓｅｃ、選択電圧Verを１ラインごとにスキャンするのに要する時間Tssを３０ｍｓｅｃとする。
【００７１】
比較例として、上記と同一の電気化学表示素子に対して、図５（書き込み）、図７（消去）に示す駆動波形により駆動を行った。なお、最初に全画素に互いに同一の消去電圧Veを印加するのに要する時間Teを３０００ｍｓｅｃ、選択的に各画素に残存している析出金属を追加溶解させる電圧Vs（＝Ver−Vec）を印加するのに要する時間Tsを１２００ｍｓｅｃ、選択電圧Verを１ラインごとにスキャンするのに要する時間Tssを３０ｍｓｅｃとする。
【００７２】
図９は、実施例と比較例において駆動波形を印加したときの反射率の変化の様子を示す。実施例では、最初の第１の消去電圧の印加直後から画像が画面全体で同時に消えることが確認できる。この場合、画面は第１の消去電圧の印加開始から、１秒程度で見た目上もとの白い状態に戻る。後半の第２の消去電圧の印加において、透明電極上に微量に残存している銀を完全に溶解させることを目的として強い消去波形を印加しているときには、反射率はほとんど変化していないことも確認できる。
【００７３】
比較例では、最初の消去電圧Vsの印加において、１ライン目から順に選択電圧Verがスキャンされ、それに対応して黒色の銀が一部溶解し、黒色が薄くなっていくのが確認できる。さらに、ラインそれぞれに対する消去電圧Vsの印加では、画面全体では、表示が薄くなるだけの効果しかなく、後半の陰イオン酸化電圧Vith未満の消去電圧Veを画面全体に印加することにより、ほとんどの黒色の銀の溶解が起こり、画面が白色に戻っている。この場合、画面は消去波形印加開始から、２秒程度かかってもとの白い状態に戻る。最初の消去電圧Vsの強度を強めることで、多少消去を速めることは可能であるが、この短時間の消去電圧Vsの印加のみで黒色の銀を溶解しきることは困難である。
【００７４】
また、比較例では、透明電極上の銀の消去が完全でないため、書き込みと消去のサイクルを重ねるにつれて数千サイクルで焼き付きが生じる。それに対して、実施例では、消去を完全に行うことができるので、焼き付きが起こらず、結果的に１０万サイクル以上の書き込みと消去を行うことができる。
【００７５】
以上の結果をまとめると、実施例のほうが、圧倒的に黒色の反射率のサイクル特性が優れているという効果を奏する。また、ユーザーから見た画像の消去速度は、実施例のほうが圧倒的に速く、かつ画像表示の劣化が無いという効果を奏する。また、実施例のほうが圧倒的に画像の消去を自然に感じられるという効果を奏する。
【００７６】
以上、実施の形態および実施例を挙げて本発明を説明したが、本発明は、これに限定されず、種々の変形が可能である。
【００７７】
例えば、本実施の形態では、個々の書込対象画素について順次透明電極と対向電極との間に第１の書込電圧を印加したのち、全ての書込対象画素について同時に第２の書込電圧を印加し、全ての消去対象画素について同時に透明電極と対向電極との間に第１の消去電圧を印加したのち、個々の消去対象画素について順次第２の消去電圧を印加しているが、個々の画素について異なる間合い（タイミング）で書込・消去電圧を印加してもよい。
【００７８】
また、第１の消去電圧が、消去しきい電圧以上であってもよい。また、第２の消去電圧が消去しきい電圧より小さくてもよい。
【００７９】
また、第１の消去電圧の印加時間よりも第２の消去電圧の印加時間が長くても良い。また、第２の書込電圧の印加時間よりも第１の書込電圧の印加時間が長くても良い。
【図面の簡単な説明】
【００８０】
【図１】電気化学表示装置の概略構成図である。
【図２】図１に示した電気化学表示素子１０の概略構成図である。
【図３】電流―電圧特性を調べるために印加した三角波電圧を示す波形図である。
【図４】電流―電圧特性を示す特性図である。
【図５】本実施の形態に係る書込時の駆動電圧波形の一例を示すものである。
【図６】本実施の形態に係る消去時の駆動電圧波形の一例を示すものである。
【図７】引用例に係る消去時の駆動電圧波形を示すものである。
【図８】電気化学表示素子における透明電極と対向電極の構成を示したものである。
【図９】実施例および比較例において、駆動電圧波形を印加したときの反射率の変化を示すものである。
【符号の説明】
【００８１】
１０…電気化学表示素子、１１…第１の基板、１２…第２の基板、１３…電解質、１４…透明電極、１５…対向電極、２１…信号制御部、２２…透明電極駆動回路、２３…対向電極駆動回路
【図１】
2005266339.tif 000003
【図２】
2005266339.tif 000004
【図３】
2005266339.tif 000005
【図４】
2005266339.tif 000006
【図５】
2005266339.tif 000007
【図６】
2005266339.tif 000008
【図７】
2005266339.tif 000009
【図８】
2005266339.tif 000010
【図９】
2005266339.tif 000011